(57)【特許請求の範囲】
【請求項１】
自由に背角度を変更することができるベッドであっで、ベッドの床（とこ）受板または床受板と一体化したマットを、患者の上半身を受ける背もたれ部の下縁中央に患者の腰を乗せることができる幅と長さの矩形の中央臀部（１１）を同一面的に一体化した逆凸文字形の背もたれ部（１）と、中央臀部（１１）と同一幅で平行に末端まで直線で区切られた矩形の中央足乗せ部（２１）と、その両側を占める左足外側部（２２）および右足外側部（２３）を背もたれ部（１）の下縁から末端まで直線で区切られた矩形を成すようにして四分割すると共に、背もたれ部（１）の凸部を除いた下縁を支軸（３）として作動し、同一面的に一体化した逆凸文字形の背もたれ部（１）と中央臀部（１１）が、常に患者の体を保持しながら傾斜変化と復元の繰り返しができるシーソー傾立作動手段および背もたれ部（１）を傾斜させた時に背もたれ部（１）の中央臀部（１１）の下端と中央足乗せ部（２１）の突き合部端面が患者の臀部がはまる程度の矩形穴部を形成して、患者が充分安定した姿勢になる位置まで中央足乗せ部（２１）がベッドの末端方向にスライドする手段を設けたことを特徴とする療養ベッド。
【請求項２】
逆凸文字形の背もたれ部（１）の傾立作動時に表れるベッド中央に患者の臀部がはまる程度の矩形穴部（Ｈ）に底対応すると共に、傾斜した背もたれ部（１）と一体の中央臀部（１１）の下端に略接し、且つ中央臀部（１１）と略直角をなす傾斜便座（９２）を有する排便装置（９）を設けたことを特徴とする請求項１記載の療養ベッド。
【請求項３】
ベッドの床受板と一体化したマットを覆うに充分な大きさの厚手の敷布をマット全体に被せた状態で、逆凸文字形の背もたれ部（１）の凸部先端位置にて直線で横断して２分割し、分割した敷布上肢部（Ｓ１）には敷布の下端縁に沿って余白を設けた位置で小幅帯状の弾性材Ａ（Ｇ１）を中央の凸部幅を超える範囲にベッド軸と垂直を成す方向に引き伸ばした状態にて取付け、両側端をベッドの両側端付近に固定すると共に、敷布下肢都（Ｓ２）には一対の幅帯状の弾性材Ｂ（Ｇ２）をベッド中心軸に対称として背もたれ部（１）の凸部を挟むようにして逆ハ文字を形する位置にて下端を取付け、上端を背もたれ部（１）に固定し、更に一対の小幅帯状の弾性材Ｃ（Ｇ３）を弾性材Ｂ（Ｇ２）より短く、且つ弾性材Ｂ（Ｇ２）と略平行にしてベッドの両側端付近に下端を取付け、上端を背もたれ部（１）の両脇または左右の足乗せ部（２２、２３）の両上端側縁付近に固定した敷布を設けた請求項１および請求項２記載の療養ベッド。
【請求項４】
請求項３において、前記敷布の２分割された一方の敷布上肢部（Ｓ１）に、当該敷布上肢部（Ｓ１）とマット背もたれ部（１）とを固定するためのマットの両角を含む上端辺および側辺に沿って少なくとも２カ所以上の固定手段（Ｂ１、Ｂ４）を設け、他方の敷布下肢部（Ｓ２）に当該敷布下肢部（Ｓ２）とマット中央足乗せ部（２１）とを固定するための上端辺の中央に、上端辺の略１／３の長さの範囲にて、辺に沿って少なくとも２カ所以上の固定手段（Ｂ２）を有すると共に、下端辺に沿って、その中央に少なくとも１カ所以上の固定手段（Ｂ３）を設けた請求項１および請求項２記載の療養ベッド。
【請求項５】
請求項３または４において、前記敷布下肢部（Ｓ２）のマットとの向い合う面の中央位置にて下端部を頂点とする細長い三角帯状のシート（Ｎ）を取付けた敷布を設けた請求項１、および請求項２記載の療養ベッド。
【発明の詳細な説明】
【０００１】
【発明の属する技術分野】
本発明は療養ベッドに関するものであり、詳しくは動けない患者を背起こしをすると同時に安定した姿勢を保つことができ、しかも排便時におけるマット上の敷布の回避と復元も自動的に行なわれるので、介護の手を必要としないで排便もできるようにした療養ベッドに関するものである。
【０００２】
【従来の技術】
従来、ベッドが中央で折れて背もたれ部を傾立させることによって背起こしができるものや、便器付き療養ベッドは多く見られるようになったが、それらのいずれもベッドの床の中央部に穴を開けて、単にそこへ便器を備えたものであった。また、ベッドの床受板の分割したものを、それぞれの角度に傾立させることによって、患者の排便時の体位を安定させることが試みられた多機能的にシステム化した高度で大掛かりなものは一部にあった。（例えば、特開平７−５９８１７号公報参照による。）
更には、動けない患者は背起こしをすると患者の上半身は安定せずに側方あるいは前のめりに転倒してしまう危険があるので、これに対して背もたれ部に肘掛けを設けたもの（特開平７−５１３２４号公報参照）が公開されている。
【０００３】
しかしながら、いずれも敷布やマット等の取り外しを必要とするばかりでなく、患者は仰臥した姿勢で排便の用をたさねばならず大変苦痛を伴うという欠点があり、更に、患者自身では排便の準備や始末をすることができないので常に介護人を必要とすることは現在最も大きな問題のひとつとされている。
また、複雑な機構や装置を多く有する多機能的にシステム化した高度で大掛かりなものは、高価でもあり大きな病院や施設でなければ使えないという問題がある。しかも患者の排便時の体位を個々の患者に対応させることや前後左右あらゆる方向に対して充分安定させることについてはできず、実用上未だ問題が多い。
【０００４】
本発明者は便器付き療養ベッドとして特開平１０−１１８１３３号公報に記載された技術を提案している。
【０００５】
【考案が解決しようとする課題】
本発明は、前記提案した技術に基づいて、更に研究や検討をした結果、下記のような課題があることが分かった。
【０００６】
すなわち、先に提案したものは従来あったような複雑な機構や装置を多く有する多機能的にシステム化した高度で大掛かりなものではないが、構造上から動力源が幾つか必要で  あり、それに伴う機構や付帯装置も必要となるので製造コストがかかってしまう。
【０００７】
また、背起こしをした時、特に排便時には患者の体位を安定させることは精神的な安定感をもたらして排便をスムースに行なわせる要因となるが、この点について充分に配慮されていなかった。
更に、排便時におけるマット上の敷布の回避や復元に対する、より完全なものが望まれていた。
【０００８】
本発明は、これらの課題を解決するためになされたものであり、その目的は背起こしをした時に患者の体位をより安定的に規制すると共に自然で安楽な使用姿勢にて排便の用をたすこともでき、しかも排便時におけるマット上の敷布の回避や使用後の敷布の復元が、より完全なものであると共に、簡単な構造で安価な療養ベッドを提供しようとするものである。
【０００９】
【課題を解決する為の手段】
上記目的を達成するために、本発明の療養ベッドにおいては、自由に背角度変更の作動をすることができるベッドであっで、ヘッドの床（とこ）受板または床受板と一体化したマットを、患者の上半身を受ける背もたれ部の下縁中央に患者の腰を乗せられる幅と長さの矩形の中央臀部を同一面的に一体化した逆凸文字形の背もたれ部と、中央臀部と同一幅で平行に末端まで直線で区切られた矩形の中央足乗せ部と、その両側を占める左および右足外側部を背もたれ部の下縁から末端まで直線で区切られた矩形で成るようにして四分割すると共に、背もたれ部の凸部を除いた下縁を支軸として作動し、同一面的に一体化した逆凸文字形の背もたれ部と中央臀部が、常に患者の体を保持しながら傾斜変化と復元の繰り返しができるシーソー傾立作動および背もたれ部（１）を傾斜させた時に背もたれ部（１）の中央臀部（１１）の下端と中央足乗せ部（２１）の突き合部端面が患者の臀部がはまる程度の矩形穴部を形成して、患者が充分安定した姿勢になる位置まで中央足乗せ部がベッドの末端方向にスライドするものである。
【００１０】
また、逆凸文字形の背もたれ部の傾立作動時に表れるベッド中央に患者の臀部がはまる程度の矩形穴部に底として対応する傾斜した背もたれ部と一体の中央臀部（１１）の下端に略接し、且つ中央臀部（１１）と略直角をなす傾斜便座を有する排便装置を設けたものである。
【００１１】
そして、ベッドを覆うに充分な大きさの厚手の敷布を、逆凸文字形の背もたれ部の凸部先端位置にて直線横断的に２分割し、分割した上肢側には敷布の下端縁に沿って余白を設けた位置で小幅帯状の弾性材Ａを中央の凸部幅を超える範囲に左右に引き伸ばした状態にて取付け、両端をベッドの両側端に固定すると共に、下肢側には一対の幅帯状の弾性材Ｂをベッド中心軸対称として背もたれ部の凸部を挟む如く逆ハ文字を形するに位置にて下端を取付け、上端を背もたれ部に固定し、一対の小幅帯状の弾性材Ｃを弾性材Ｂより短く、且つ弾性材Ｂと略平行にしてベッドの両側端付近に下端を取付け、上端を背もたれ部の両脇または左右の足乗せ部の両上端側縁付近に固定した敷布を設ける。
【００１２】
さらに、前記敷布における、敷布上肢部にマットの両角を含む上端辺および側辺に沿って少なくとも２カ所以上の固定手段を設け、敷布下肢部上端辺の中央に、上端辺の略１／３の長さの範囲にて、辺に沿って少なくとも２カ所以上の固定手段を有すると共に、下端辺の中央付近に少なくとも１カ所以上の固定手段を設けると好ましい。
【００１３】
また、前記敷布下肢部のマットとの向い合う面の中央位置にて下端部を頂点とする細長い逆三角形のシ−トを取付けることもできる。
【００１４】
【発明の実施の形態】
発明の実施の形態を実施例にもとづき図面にしたがって説明する。
図１は本発明の実施例の構成を示す概略機構図であり、背もたれ部の傾斜時におけるベッドの状態を示す図である。
図１においてベッドの上面は床受台とマットが一体化されたものが次の四つに区分されている。患者の上半身を受ける背もたれ部の下縁中央に患者の腰を乗せられる幅と長さの矩形の中央臀部１１を同一面的に一体化した逆凸文字形の背もたれ部１と中央臀部１１に同じ幅で平行に末端まで直線で区切られた矩形の中央足乗せ部２１とその両側を占める長矩形の左足外側部２２および右足外側部２３である。
【００１５】
同一面的に一体化した逆凸文字形の背もたれ部１と中央臀部１１が、常に患者の体を保持しながら、傾斜変化と復元の繰り返しができ、背もたれ部１の凸部（中央臀部１１）を除いた下縁における支軸３を中心として傾立作動手段としてのシリンダ伸縮アーム４をベッド下側から背もたれ部１にかけて設け、背もたれ部（１）を傾斜させた時に背もたれ部（１）の中央臀部（１１）の下端と中央足乗せ部（２１）の突き合部端面が患者の臀部がはまる程度の矩形穴部を形成して、患者が充分安定した姿勢になる位置まで中央足乗せ部２１がベッドの末端方向にスライドする手段として中央足乗せ部２１と左足乗せ部２２、右足乗せ部２３とのスライド突き合部にスライダレール６をローラー６１と共に設け、スライドした中央足乗せ部２１を元の位置に戻すための戻しスプリング７１をベッド下のフック７２に引っ掛けておく。そして略４５度傾立した背もたれ部１の凸部（中央臀部１１）の最下端と中央足乗せ部２１の突き合部端面の裏側縁に直線的な橋渡しの長さで凸部幅の帆布シート５を患者の重量を保持する充分な固定手段として鋲止めで固定する。
尚、背もたれ部１の凸部を含む最下端は、傾立時干渉しない為に各足乗せ部２１、２２、２３との端面間を少し開けて角を丸くしておくとよい。
【００１６】
背もたれ部１の凸部即ち中央臀部１１と背面部との支軸３を中心とした重量配分によっては、患者が横臥水平状態から起き上がろうと重心を中央臀部１１に掛けようとすれば背もたれ部はシーソー作用によって患者自身の体重で傾斜させることができるようにすることも考えられる。この場合には背もたれ部を傾斜させる動力装置は不要となり、水平状態で保持しておきたい場合の解除付きストッパ機構のみ有ればよい。従って製造コストを極めて低減することも可能となる。
【００１７】
中央足乗せ部２１はベッドの末端方向にスライドするように手段を設けることに関して実施例では、より円滑な作動を求めるためにローラー６１付きのスライダレール６を設けているが、単にスライドさせるだけであれば簡単なガイドでもよく、または中央足乗せ部２１のマット枠材を滑りやすくしておけばこの種のスライド機構を全く省略することもできる。これは更にコストを下げるのに有効である。
【００１８】
図２は、図１における帆布シート５を廃止するか着脱可能として、その位置に傾斜便座を有する排便装置９を備えた場合の用便時のベッド使用状態を側面から示す概略機構図であって、図３は図２の分割されたマットの状態を示す斜視図で、また図４は図３における用便のための移動状態にある分割されたマットを元の形に戻して通常時の平面ベッドとした状態を示す斜視図である。
尚、図３および図４は、あえて背もたれ部の傾立駆動手段を図示しない。
図２および図３に示すように、逆凸文字形の背もたれ部１の傾立作動時に表れるベッド中央に患者の臀部がはまる程度の矩形穴部Ｈに底対応すると共に、約４５度傾斜した背もたれ部１と一体の中央臀部１１の下端に隙間を介して接し、且つ中央臀部１１と対向する略直角をなす傾斜便座９２を有する便器本体９１と引き出し式の取手９４を有する便受器９３を設け、便受器９３と便座９２の上側に被さるように板状のシャッター式便器蓋９５を設ける。
【００１９】
更に、逆凸文字形の背もたれ部１の傾立作動に連動して少なくとも中央足乗せ部２１のスライド作動、臀部支持物である帆布シート５の説着作動または便器蓋９５の開閉作動を行なう手段を設けることであるが。本実施例では図２に示すように背もたれ部１の背面と中央足乗せ部２１の端面に２箇所のプーリー８１を介してそれぞれの端を固定したベルト８２によって為されるものとしている。
この場合、背もたれ部１の背面略中央部が水平状態から傾立状態までの移動距離と中央足乗せ部２１のスライドさせる距離が等しくなるような位置で固定する。
【００２０】
図５は本発明の実施例の排便装置９の斜視図である。
図５に示すように約４０度の傾斜口を有する三角台形外箱の便器本体９１の三角側板のほぼ中央部に納まるような引き出し式の便受器９３を取手９４を取付けて設け、その上に丸く便座形に穴をくり貫いた約４０度に傾斜する傾斜便座９２を傾斜口に合わせて取付ける。また傾斜口の両側にある案内枠９６によって便座９２の上側に被さるように板状のシャッター式便器蓋９５を設け、当該便器蓋と便器本体９１の突き当て部にはマグネットスプリング式のラッチ９８を取付ける。  こうすることによって、用便時には傾斜した案内枠９６にそって滑るので自動的に便器蓋９５が開放される。用便が終わったらロープ９７で便器蓋９５を引き上げてマグネットスプリングラッチ９８にて閉じる。再び開ける場合にはロープ９７を更に強く引くことによってマグネットスプリング式のラッチ９８が外れるので自動的に滑り落ちる。
このロープ９７をベッド上で操作できるようにしておく。
【００２１】
図６（ａ）は本発明の敷布をベッド上に平面的に広げた状態を示す平面図で、図６（ｂ）は図６（ａ）の中央部Ｘ−Ｘ断面の拡大図で、図６（ｃ）は敷布上肢部をまくり挙げてゴムの取付け状態を示す斜視図である。
図６（ａ）で示すように、ここで用いる敷布は、ベッドを覆うに充分な大きさの厚手の敷布を、逆凸文字形の背もたれ部１の凸部先端位置にて直線横断的に２分割し、分割した一方の敷布上肢部Ｓ１には図６（ｂ）で示すように敷布の下端縁に沿って余白を設けた位置で小幅帯状の弾性材Ａとしての幅広ゴムＧ１を中央の凸部幅を超える範囲に左右に引き伸ばした状態にて中央臀部１１と同一の幅で取付け、両端をベッドの両側端に固定すると共に、他方の敷布下肢部Ｓ２には図６（ａ）と（ｃ）で示すように一対の幅帯状の弾性材Ｂとしての幅広ゴムＧ２をベッド中心軸対称として背もたれ部１の凸部を挟む如く逆ハ文字を形するに位置にて下端を取付け、上端を背もたれ部１に固定し、更に一対の小幅帯状の弾性材Ｃとしての幅広ゴムＧ３を幅広ゴムＧ２より短く、且つ幅広ゴムＧ２と略平行にしてベッドの両側端付近に下端を取付け、上端を背もたれ部１または左右の足乗せ部２２、２３の両側縁付近に固定したものである。  この場合、特に図６（ｃ）で示すように幅広ゴ厶Ｇ１の両端は幅広ゴムＧ３の下側になるようにしてベッド脇に取付けることが必要である。
【００２２】
図７（ａ）は本発明の敷布の改良形態をベッド上に平面的に広げた状態にて示す平面図で、図７（ｂ）は図７（ａ）の中央部Ｙ−Ｙ断面の拡大図である。
図７（ａ）で示すように、前記敷布において敷布の２分割された一方の敷布上肢部Ｓ１に、当該敷布上肢部Ｓ１とマット背もたれ部１とを固定するためのボタンＢ１をマット背もたれ部１の両角と中央に設け、他方の敷布下肢部Ｓ２に当該敷布下肢部Ｓ２とマット中央足乗せ部２１とを固定するための上端辺の中央に、上端辺の略１／３の長さの範囲にて、辺に沿って２カ所のボタンＢ２を設けると共に、下端辺の中央にボタンＢ３を設ける。
そして図７（ｂ）で示すように、ボタンＢ１は背もたれ部１の上端側面に取付けると良い。ボタンＢ２は中央足乗せ部２１の上端側面に取付け、ボタンＢ３は下端側面に取付けて上下方向に張り気味にしておくと良い。更に、敷布上肢部Ｓ１の下端辺は必ず敷布下肢部Ｓ２の上に掛かるようにしておく。
上記説明のように、所定の位置にそれぞれマットに固定するボタンＢを取り付けることによって、本ベッド使用時背もたれ部１を傾斜しても敷布がずり落ちることもなく、しかも使用後は自動的に敷布に皺が寄ることもなく、ほぼ完全に近い状態で復元することができる。
【００２３】
図８（ａ）は本発明の敷布の別の改良形態をベッド上に平面的に広げた状態にて示す平面図で、図８（ｂ）は図８（ａ）の敷布下肢部をまくり挙げて三角帯状布の取付け状態を示す斜視図である。
図８（ａ）および図８（ｂ）で示すように、この敷布は、前記敷布下肢部Ｓ２のマット
との向い合う面の中央位置にて下端部を頂点とする細長い三角帯状のシートとして三角帯状布Ｎを縫合して取付けたものである。
このようにすることによって、使用中に敷布の一部分に集中した無理な力が掛かることがないので敷布の耐久性を向上することができる。
【００２４】
他の実施例として、便器蓋９５を傾斜便座９２の下に設けることも考えられる。これによって背もたれ部１を傾斜したまま用便の有無を任意とすることができる。
【００２５】
以下に本発明の一実施例に於ける作動過程をスケッチによって説明する。
図９（ａ）は本発明の実施例の敷布を装着した通常平面のベッド状態を示す斜視図で、このように二分割された敷布にてマットを覆い、それらの接続部はわずかに重ね合わせてあるので使用者は便器付き療養ベッドでありながら従来のベッドとほぼ同じような感覚で使うことができる。
図９（ｂ）は  本発明の実施例の敷布を装着した用便時における背もたれ部を傾立させて使用状態に入る初期過程を示す斜視図で、このように敷布上肢部が少し凹むとともに敷布下肢部の中央がベッドの下端方向にたくし下げられる。
図９（ｃ）は図９（ｂ）から進行した過程でベッドの中央部が窪んだ状態を示す斜視図で、ここにベッドの中央部に患者の臀部がはまる程度の矩形穴部Ｈを形成することができる。
図９（ｄ）は図９（ｃ）からの最終過程の斜視図で、このようにベッドの背もたれ部が充分傾立され用便時の傾斜便座が表れると共に周囲から敷布が外れた状態を示している。ここでは上下の敷布が最適な具合に垂れ下がったり、突っ張られたりして形づくられ、しかも用便後は自然に復元することを本発明者は多くの研究の結果発見した。。
【００２６】
以上のように構成されているので、これを使用する時は、
先ず背もたれ部１を徐々に隆起傾立させていくとベッド中央に患者の臀部がはまる程度の矩形穴部Ｈを形成することができる。更に中央足乗せ部２１をベッドの末端方向にスライドさせると矩形穴部Ｈがベッド長手方向に拡大する。この形成された矩形穴部Ｈに、下側からシートまたは傾斜した背もたれ部１に略直角をなす傾斜便座９２が底当てとなるように排便装置９が設置されていることになる。  その結果、使用者である患者の臀部がすっぽり椀に填ったような感覚でしかも両肘はベッドの矩形穴の縁が肘掛けの作用をするので充分安定した姿勢になり、実に安心安楽な気持になる。
従って、従来の技術に用いられていた安全ベルトや肘掛け装置は一切必要としない。
【００２７】
また、背もたれ部が仰向き傾斜しているので患者が前のめりになることはなく、しかも背もたれ部１に略直角をなす傾斜便座であるため仰向いた状態にありながら実質的には通常の椅子に腰掛けたようになるので、特に用便時には患者の体位を安定させることとなり、精神的な安定感をもたらして排便をスムースに行なわせることができる。
【００２８】
また、背もたれ部が凸部を除いた下縁を支軸として回動するので、凸部に掛かる患者の重量によってテコの作用で背もたれ部を自然に傾斜させるように働くので、この動力源は極めて小さいもので足りることとなる。
【００２９】
更に、背もたれ部を倒しながら水平状態に戻す時、２分割した敷布はベッドの上端部と下端部にそれぞれ固定されていることによって常にベッドの角から中心方向に引っ張るように働き、皺がよることなく元の状態に戻ることができる。
【００３０】
本発明を使用するときは、以下の手順に従って使用する。
１）用便の時は便器の蓋を開ける。
２）背もたれ部を傾斜させる。
３）中央足乗せ部をスライドさせる。１）と連動の場合は不要。
４）傾斜便座に腰を下ろして用をたす。
使用者である患者の任意にて背もたれ部傾立角度を調節する。この時の便座との角度は一般に約１００度が好ましいことが発明者によって解明された。
５）用便が済んだ後は逆の手順で操作することによって復元することができる。このとき、敷布も不自然な皺が寄ることなく自動的に元通りの水平に戻る。
【００３１】
【発明の効果】
最も重要なことは動けない患者が介護の手を必要とせず、背起こしや用便ができることであり、同一面的に一体化した逆凸文字形の背もたれ部と中央臀部が、常に患者の体を保持しながら傾斜変化と復元の繰り返しができるシーソー機構を採用したことによって、患者がシーソーのようにして傾斜した背もたれ部からベッドの穴に滑り込むために、使用時のベッドに於ける患者の姿勢を、より安定させることができ、しかも簡単な構造ゆえ使いやすく、安価に製造することができる。
【００３２】
傾斜した背もたれ部と対向する略直角をなす傾斜便座を有することによって、最も自然で安楽な使用姿勢にて用をたすことができる。
【００３３】
敷布を二分して幅広ゴムをベッドの横断的に縫いつけること及び二対の幅広ゴムを逆ハ文字形に装着したことによって、ベッド上における敷布は常時そのままで、背もたれ部の傾斜使用時や用便時のみ自動的に便座周囲の範囲に応じて外され、使用後はマットに敷布が被さって水平なベッドを復元することができる。
【００３４】
敷布上肢部の裏側の背もたれ部上端辺に沿って３箇所それぞれマットに固定するボタンを取り付けるとともに、敷布下肢部の裏側中央付近の上端に２箇所、下端に１箇所それぞれマットに固定するボタンを取り付けることによって、使用後は自動的にしかも敷布に皺が寄ることなく、ほぼ完全に捲れたり戻ったり復元することができる。
【００３５】
また、敷布下肢部の裏側中央に細長い三角帯状布を縫合することによって、使用中に敷布の一部分に集中した無理な力が掛かることがないので敷布の耐久性を向上することができる。
【図面の簡単な説明】
【図１】  本発明の実施例の構成を示す概略機構図で、ベッドの背もたれ部傾立状態図。
【図２】  本発明の実施例の排便装置を設けた用便時のベッド状態を示す概略機構図。
【図３】  図２の分割されたマットの状態を示す斜視図。
【図４】  図３の状態にある分割されたマットを元の形に戻して、通常時の平面ベッドと
した状態を示す斜視図。
【図５】  図２または図３の排便装置の斜視図。
【図６（ａ）】  本発明の敷布をベッド上に平面的に広げた状態を示す平面図。
【図６（ｂ）】  図６（ａ）の中央部Ｘ−Ｘ断面の拡大図。
【図６（ｃ）】  敷布上肢部をまくり挙げてゴムの取付け状態を示す斜視図。
【図７（ａ）】  本発明の実施例の敷布を装着した通常平面のベッド状態を示す斜視図。
【図７（ｂ）】  図７（ａ）の中央部Ｙ−Ｙ断面の拡大図。
【図８（ａ）】  本発明の敷布の別の改良形態をベッド上に平面的に広げた状態にて示す平面図。
【図８（ｂ）】図８（ａ）の敷布下肢部をまくり挙げて三角帯状布の取付け状態を示す斜視図である。
【図９（ａ）】  本発明の実施例の敷布を装着した通常平面のベッド状態を示す斜視図。
【図９（ｂ）】  本発明の実施例の敷布を装着した傾立使用状態に入る初期過程を示す斜視図。
【図９（ｃ）】  図９（ｂ）から進行した過程でベッドの中央部が窪んだ状態を示す斜視図。
【図９（ｄ）】  図９（ｃ）からの最終過程の敷布が外れた状態を示す斜視図。
【符号の説明】
１  背もたれ部
１１  中央臀部
２１  中央足乗せ部
２２  左足外側部
２３  右足外側部
３  支軸
４  シリンダ伸縮アーム
５  帆布シート
６  スライダレール
６１  ローラー
７１  戻しスプリング
７２  フック
８１  プーリー
８２  ベルト
９  排便装置
９１  便器本体
９２  傾斜便座
９３  便受器
９４  取手
９５  便器蓋
９６  案内枠
９７  ロープ
９８  ラッチ
Ｈ  矩形穴部
Ｓ  敷布
Ｓ１  敷布上肢部
Ｓ２  敷布下肢部
Ｇ１  幅広ゴム（弾性材Ａ）
Ｇ２  幅広ゴム（弾性材Ｂ）
Ｇ３  幅広ゴム（弾性材Ｃ）
Ｂ  ボタン
Ｂ１  敷布上肢部ボタン
Ｂ２  敷布下肢部上側ボタン
Ｂ３  敷布下肢部下側ボタン
Ｎ  三角帯状布
【図１】
0003700077.tif 000002
【図２】
0003700077.tif 000003
【図３】
0003700077.tif 000004
【図４】
0003700077.tif 000005
【図５】
0003700077.tif 000006
【図６（ａ）】
0003700077.tif 000007
【図６（ｂ）】
0003700077.tif 000008
【図６（ｃ）】
0003700077.tif 000009
【図７（ａ）】
0003700077.tif 000010
【図７（ｂ）】
0003700077.tif 000011
【図８（ａ）】
0003700077.tif 000012
【図８（ｂ）】
0003700077.tif 000013
【図９（ａ）】
0003700077.tif 000014
【図９（ｂ）】
0003700077.tif 000015
【図９（ｃ）】
0003700077.tif 000016
【図９（ｄ）】
0003700077.tif 000017